(57)【特許請求の範囲】
【請求項１】
ケース（２）内に上下一対のヒーター（５，６）を設け、当該ヒーター（５，６）の間に前面の扉（３）の開閉に連動して前後移動する焼き網（７）を設けてなるオーブントースター（１）において、前記焼き網（７）の移動経路が後部において高く前部において低く設定されており、当該焼き網（７）の上部に模様を打ち抜いた模様板（１１）を配置し、当該模様板（１１）の後部を前記焼き網（７）の後部に回動自在に軸支すると共に、当該模様板（１１）の側縁を前記ケース（２）の内側面に突設された突起（１６）に摺動自在に支持し、扉（３）の開閉に連動して前後移動する焼き網（７）に伴われて模様板（１１）も前後移動すると共に、前記突起（１６）の作用で模様板（１１）が焼き網（７）に対して前部が上方に回動するようにしたことを特徴とする、オーブントースター
【請求項２】
前記模様板（１１）を焼き網（７）に対して着脱自在に軸支したことを特徴とする、請求項１に記載のオーブントースター
【請求項３】
前記模様板（１１）を焼き網（７）に対して、その両者の間隔が可変となるように取り付けたことを特徴とする、請求項１又は２に記載のオーブントースター
【発明の詳細な説明】
【０００１】
【発明の属する技術分野】
本発明はオーブントースターに関するものであって、特にパンを焼くときにそのパンの表面に焦げ目によって絵や文字などの模様を現すことのできるオーブントースターに関するものである。
【０００２】
【従来の技術】
従来から、トースターでパンを焼く際に、そのパンに焦げ目による模様を現すことのできるようにしたものがある。かかるトースターとしては、例えば実開平５−６８４３９号公報や、実用新案登録第３００２１９２号公報に記載されたものが知られている。
【０００３】
これらのものは、いずれもポップアップ式のトースターであって、金属板に模様を打ち抜いた模様板とパンとを重ねて焼くことにより、打ち抜いた部分のみに焦げ目がついて模様が現されるものである。
【０００４】
【発明が解決しようとする課題】
しかしながら前述の公報に記載されたものはいずれもポップアップトースターに関するものであって、近年多く使用されているオーブントースターで、模様が現されるものは知られていない。
【０００５】
オーブントースターでパンを焼く際に、その上に模様板を載せれば同様の模様を現すことができるが、パンを焼いた後は模様板も熱くなっており、その模様板を取り除くことが困難である。また焼き網に模様を付すことによりパンに焦げ目模様を現すこともできるが、パン以外のものを調理するときには模様板により熱が遮蔽され、適切に調理できない可能性がある。
【０００６】
本発明はかかる事情に鑑みなされたものであって、扉の開閉に連動して模様板をパンの上に離接せしめ、パンに容易に焦げ目模様を現すことのできるオーブントースターを提供することを目的とするものである。
【０００７】
【課題を解決するための手段】
而して本発明のオーブントースターは、ケース内に上下一対のヒーターを設け、当該ヒーターの間に前面の扉の開閉に連動して前後移動する焼き網を設けてなるオーブントースターにおいて、前記焼き網の移動経路が後部において高く前部において低く設定されており、当該焼き網の上部に模様を打ち抜いた模様板を配置し、当該模様板の後部を前記焼き網の後部に回動自在に軸支すると共に、当該模様板の側縁を前記ケースの内側面に突設された突起に摺動自在に支持し、扉の開閉に連動して前後移動する焼き網に伴われて模様板も前後移動すると共に、前記突起の作用で模様板が焼き網に対して前部が上方に回動するようにしたことを特徴とするものである。
【０００８】
本発明においては、前記模様板を焼き網に対して着脱自在に軸支することが好ましい。また前記模様板を焼き網に対して、その両者の間隔が可変となるように取り付けることが好ましい。
【０００９】
【発明の実施の形態】
以下本発明の実施の形態を図面に基づいて説明する。図面は本発明の一形態を示すものである。１は本発明のオーブントースターであって、２はケースであり、当該ケース２の前部開口部４が扉３で閉塞され、当該扉３は開口部４の下縁に回動自在に軸支されている。
【００１０】
ケース２の内部には、その上下に一対のヒーター５，６が配置され、その間に焼き網７が配置されており、当該焼き網７は前記扉３の開閉に連動して前後に移動するようになっている。
【００１１】
すなわち焼き網７は、その前端部が扉３の背面の係止突部８に係止され、後側部に突設された突起９がケース２の側面に形成された円弧状のスリット１０に摺動自在に嵌合されており、扉３の開閉に連動して焼き網７が水平を保ったままで前後に移動すると共に、扉３が開いたときには焼き網７は閉扉時よりも低い位置となるようになっている。
【００１２】
１１は図２に示すように、金属板１４に適宜の模様１５を打ち抜いてなる模様板である。当該模様板１１の後端縁には略Ｕ字状の係止部１２が形成され、該係止部１２が前記焼き網７の後端のバー１３に係止されることにより、模様板１１は焼き網７に対してその焼き網７の後端において回転自在且つ着脱自在となるように軸支されている。
【００１３】
そして模様板１１は、ケース２の内側面に突設された突起１６の上部に位置し、当該突起１６により摺動自在に支持されるようになっている。
【００１４】
なお図面の例においては、模様板１１は、係止部１２がバー１３に対して上下に摺動可能であり、且つ前記突起１６のやゝ上方に位置せしめることにより、模様板１１が焼き網７に対して平行を保ちつつ、その間隔を変更することができるようになっている。
【００１５】
図面において１７は、焼き網７をケース２内において、常時後方に付勢するばねである。
【００１６】
【作用】
次に本発明の作用を図面に従って説明する。図１は本発明のオーブントースター１によりパン１８を焼いている状態を示すものである。
【００１７】
この状態においては、扉３は上方に回動して開口部４を閉じており、それに伴って焼き網７は後方に移動し、当該焼き網７の突起９はスリット１０の後端に位置している。
【００１８】
そして当該焼き網７の上にはパン１８が載置されており、当該パン１８の上に模様板１１が載置されている。なお図１は比較的厚いパン１８を焼いている状態であるが、パン１８が薄いときにはバー１３が係止部１２内を摺動して模様板１１は下動することができるので、模様板１１はパン１８の厚さに拘らず常にパン１８に密着することができる。
【００１９】
この状態でヒーター５，６に通電すると、パン１８は上下両面から加熱されて焼かれる。このときパン１８の上面には模様板１１が載置されているので、金属板１４の模様１５が打ち抜かれた部分においては、ヒーター５の熱が直接パン１８に作用するので強く加熱されて濃い焦げ目がつき、また金属板１４が残った部分は当該金属板１４により熱が遮蔽されるので、パン１８が加熱される程度が弱く、パン１８に生じる焦げ目が薄くなり、パン１８の表面には焦げ目の濃淡による模様が現されるのである。
【００２０】
パン１８が焼けた後、扉３を前方に開くと、図３に示すように、扉３に牽引されて焼き網７は開口部４から前方に引き出されると共に、扉３及びスリット１０で誘導されて焼き網７は水平状態のままでより低い位置に移動する。
【００２１】
その焼き網７の前方への移動の初期においては、模様板１１はパン１８に載置されたままで前方に移動するが、焼き網７が下方に移動することにより模様板１１の側縁部が突起１６に引っ掛かる。
【００２２】
その後さらに焼き網７が前下方に移動することにより、模様板１１の中央部は突起１６に支持されて下方に移動することができず、一方当該模様板１１の後端がバー１３と係止部１２との係止により前下方に移動するため、模様板１１は突起１６に支持されて摺動しながら前方に移動し、図３に示すように模様板１１の前端部が上方に開いた状態で引き出される。
【００２３】
従ってパン１８は模様板１１がその上面から除去された状態で引き出されるので、熱い模様板１１に触れることなく、焼き網７上からパン１８を取り出し、また次のパン１８を焼き網７に載置することができる。
【００２４】
焼き網７上にパン１８を載置して扉３を閉じると、当該扉３の動き及びばね１７の作用によって、焼き網７は水平を保ちつつ後上方に移動すると共に、模様板１１はその後端部が上動するため突起１６を支点として前部が下動し、再度図１に示すようにパン１８の上に載置される。
【００２５】
【発明の効果】
本発明によれば、オーブントースター１において、パン１８に焦げ目による模様を現すことができる。そして扉３の開閉に連動して焼き網７が前後移動し、焼き上がったパン１８が焼き網７に載置されて引き出されてくると共に、当該焼き網７の前後移動に連動して模様板１１が開閉し、模様板１１に手を触れることなくパン１８を出し入れすることができる。
【００２６】
また請求項２においては模様板１１を焼き網７に対して着脱自在となっているので、模様板１１を取り外すことにより模様のないパンを焼くことができると共に、トースターとして以外に他の調理をするときにも、模様板１１が邪魔になることがない。
【００２７】
さらに請求項３の発明においては、模様板１１と焼き網７との間隔を可変としているので、パン１８の厚さが厚くても薄くても常に模様板１１がパン１８の表面に密着し、常に適切に模様のあるパン１８を焼くことができる。
【図面の簡単な説明】
【図１】  本発明のオーブントースターの実施の一形態を示す中央縦断面図
【図２】  図１の形態における焼き網と模様板との結合状態を示す斜視図
【図３】  図１の形態における扉を開いた状態を示す中央縦断面図
【符号の説明】
１  オーブントースター
２  ケース
３  扉
５，６  ヒーター
７  焼き網
１１  模様板
１６  突起
【図１】
0003712861.tif 000002
【図２】
0003712861.tif 000003
【図３】
0003712861.tif 000004